(57)【要約】【課題】公衆交換網に接続される電話機から発呼されるＤＴＭＦ音を使用してインターネット電話アドレスを入力し、インターネット電話に容易に接続することが可能なインターネット電話アドレス変換機能付交換機を提供する。【解決手段】電話機１から公衆交換網２経由でインターネット電話アドレス変換機能付交換機３に電話すると回線接続部４は着信に応じる。次に利用者はＤＴＭＦ音で相手のインターネット電話アドレスを指定する。このＤＴＭＦ音の信号は回線接続部４を経由してＤＴＭＦ受信部５へ入力され、インターネット電話アドレス変換部６において文字を含むインターネット電話アドレスへ変換される。【選択図】  図１
2005006158.tif 000002
【特許請求の範囲】
【請求項１】
発呼側電話機からの公衆交換網経由の着信に対して回線に接続する回線接続部と、前記発呼側電話機からのＤＴＭＦ音を受信するＤＴＭＦ受信部と、接続したいインターネット電話に発呼するインターネット電話部と、音声を音声ＩＰパケットに変換する音声変換部とからなるインターネット電話アドレス変換機能付交換機において、相手先のインターネット電話アドレスを前記ＤＴＭＦ音によって指定し、前記ＤＴＭＦ音と文字によって構成されるインターネット電話アドレスとを対応させる設定部を有するインターネット電話アドレス変換部を備え、前記発呼側電話機と前記インターネット電話を接続することを特徴とするインターネット電話アドレス変換機能付交換機。
【請求項２】
前記発呼側電話機から短縮して入力されたＤＴＭＦ音を前記ＤＴＭＦ受信部から入力し、短縮された前記ＤＴＭＦ音を、文字によって構成される前記インターネット電話アドレスへ対応づけるための短縮番号設定を備え、前記インターネット電話部へ出力する短縮番号記憶部を備えたことを特徴とする請求項１記載のインターネット電話アドレス変換機能付交換機。
【請求項３】
前記回線接続部に、前記発呼元電話機からの発呼者番号を検知して前記インターネット電話アドレス変換部へ通知する発呼者番号検知部を設け、前記インターネット電話アドレス変換部の前記設定部に、前記発呼者番号に応じて文字によって構成される前記インターネット電話アドレスを対応させる設定を設け、前記発呼者番号から前記インターネット電話アドレスを自動的に指定することを特徴とする請求項１記載のインターネット電話アドレス変換機能付交換機。
【請求項４】
前記回線接続部に、ＩＳＤＮ電話機もしくはＰＨＳなどのサブアドレスを送出できる前記発呼側電話機のサブアドレスを検知するサブアドレス検知部を設け、前記インターネット電話アドレス変換部の前記設定部に、前記発呼側電話機のサブアドレスに応じて、文字によって構成される前記インターネット電話アドレスを対応させる設定を設け、前記発呼側電話機のサブアドレスから前記インターネット電話アドレス指定を行うことを特徴とする請求項１記載のインターネット電話アドレス変換機能付交換機。
【請求項５】
前記回線接続部に、前記発呼側電話機からの着信電話番号を検知して前記インターネット電話アドレス変換部へ通知する着信電話番号検知部を設け、前記インターネット電話アドレス変換部の前記設定部に、前記発呼側電話機からの着信電話番号に応じて文字によって構成される前記インターネット電話アドレスを対応させる設定を設け、前記発呼側電話機からの着信電話番号によって、前記インターネット電話アドレスでの相手先指定を行うことを特徴とする請求項１記載のインターネット電話アドレス変換機能付交換機。
【請求項６】
前記インターネット電話アドレス変換部は、設定用のホームページサーバーを経由して、前記設定部に設定された内容をホームページ上で設定または変更を行う手段を設けたことを特徴とする請求項１，３，４，５のいずれかの項に記載のインターネット電話アドレス変換機能付交換機。
【請求項７】
前記インターネット電話アドレス変換部に接続された電子メール受信部を設け、前記インターネット電話アドレス変換部は、前記電子メール受信部により受信した電子メールの内容に基づいて、前記設定部に設定された内容を設定または変更を行う手段を設けたことを特徴とする請求項１，３，４，５，６のいずれかの項に記載のインターネット電話アドレス変換機能付交換機。
【請求項８】
前記短縮記憶部は、設定用のホームページサーバーを経由して、前記短縮番号設定をホームページ上で設定または変更を行う手段を設けたことを特徴とする請求項２記載のインターネット電話アドレス変換機能付交換機。
【請求項９】
前記短縮記憶部に接続された電子メール受信部を設け、前記短縮記憶部は、前記電子メール受信部により受信した電子メールの内容に基づいて、前記短縮番号設定の設定または変更を行う手段を設けたことを特徴とする請求項２または８記載のインターネット電話アドレス変換機能付交換機。
【請求項１０】
前記公衆交換網へ発呼する回線発呼接続部と、前記インターネット電話アドレス変換部から前記インターネット電話アドレスを入力し前記インターネット電話部または前記回線発呼接続部へ出力する発呼先指定部とを設け、前記発呼先指定部は、相手先の前記インターネット電話が通信不能の場合、代替先に発呼する設定を設け、発呼先の前記インターネット電話が通信不能でも前記設定により自動的に代替先に接続する手段を設けたことを特徴とした請求項１から９のいずれかの項に記載のインターネット電話アドレス変換機能付交換機。
【発明の詳細な説明】
【０００１】
【発明の属する技術分野】
本発明は、公衆交換網に接続される一般電話からインターネット電話へ接続するインターネット電話アドレス変換機能付交換機に関するものである。
【０００２】
【従来の技術】
従来のインターネット電話アドレス変換機能付交換機としては図２のようなものがある（例えば、特許文献１参照）。
【０００３】
図２において、３１は発呼側電話機、３２は公衆交換網、３３は従来のインターネット電話アドレス変換機能付の交換機、３４は交換機３３に含まれる公衆網との回線接続部、３５はＤＴＭＦ受信部、３６はＩＰアドレス変換部、３７はインターネット電話機に接続したときに公衆交換網３２からの音声をＩＰパケットと相互に変換する音声変換部、３８はインターネット電話部、３９はインターネット又はＬＡＮ、４０，４１は接続先のインターネット電話ソフトを有するパーソナルコンピュータ、４２はＩＰ電話である。
【０００４】
特許文献１では相手先指定を、ＩＰアドレスで指定している。まず利用者は発呼側電話機３１を使用して公衆交換網３２経由で交換機３３へかける。公衆交換網３２からの着呼に回線接続部３４を接続して応答する。次にユーザーは相手先インターネット電話をＩＰアドレスで指定する。これは例えば相手先が「２１０．１６０．１７９．１」であれば電話機１から「２１０＊１６０＊１７９＊１」などとＤＴＭＦ（Ｄｉａｌ  Ｔｏｎｅ  Ｍｕｌｔｉ  Ｆｒｅｑｕｅｎｃｙ）音を送出する。このＤＴＭＦ音はＤＴＭＦ受信部３５で受信されＩＰアドレス変換部３６でＩＰアドレスに変換されて、インターネット電話部３８から発呼される。
【０００５】
この発呼は、インターネット又はＬＡＮ３９を通り、インターネット電話ソフトを有するパーソナルコンピュータ４０に着信する。パーソナルコンピュータ４０の利用者が応答すると音声変換部３７は発呼側電話機３１からの音声とパーソナルコンピュータ４０からの音声を相互に変換を開始する。
【０００６】
【特許文献１】
特開２００２−４４２３４号公報
【０００７】
【発明が解決しようとする課題】
従来のインターネット電話アドレス変換機能付交換機は、相手先のアドレスとしてＩＰアドレスを指定するものである。これは発呼側の電話機からＤＴＭＦ音で相手指定をするのには簡単だが、実際にインターネット電話を固定ＩＰアドレスで使用している利用者は稀であり、多くはアルファベットと記号からなるインターネット電話アドレス（例えば、ｓａｔｏｕ＠ｈｏｔｍａｉｌ．ｃｏｍ）を使用している。このインターネット電話アドレスを発呼側の電話機からＤＴＭＦ音で指定するのは、発呼側の電話機には、数字キーしかないため、非常に困難である。
【０００８】
また、パソコン上で動作しているインターネット電話ソフトの場合、インターネット電話ソフトが起動されずに、止まっていることや、パソコンの電源が投入されていない場合もあり、その場合再度、電話する必要がある。
【０００９】
本発明は、公衆交換網に接続される電話機から発呼されるＤＴＭＦ音を使用してインターネット電話アドレスを入力し、インターネット電話に容易に接続することが可能なインターネット電話アドレス変換機能付交換機を提供することを目的とする。
【００１０】
【課題を解決するための手段】
本発明は、上記課題を解決するために、インターネット電話アドレス変換機能付交換機に、ポケットベルの文字メッセージのようにＤＴＭＦ音により、文字からなるインターネット電話アドレスを指定できる手段を設ける。
【００１１】
この場合、相手先を指定するのには多くの数字キーを押さなければならないので、インターネット電話アドレス変換機能付交換機に、相手先インターネット電話アドレスを事前に短縮番号に登録できる手段を設ける。
【００１２】
また、インターネット電話アドレス変換機能付交換機に、発呼者番号検知手段を設け、発呼者番号によって相手先インターネット電話アドレスを指定したり、サブアドレス検知手段を設け、ＩＳＤＮ電話もしくはＰＨＳからのサブアドレスでインターネット電話アドレスを指定する。
【００１３】
また、インターネット電話アドレス変換機能付交換機に、着信電話番号検出部を設け、着信電話番号を複数準備してその番号に応じて相手先インターネット電話アドレスを指定する。
【００１４】
また、インターネット電話アドレス変換機能付交換機のこれらの設定についてホームページサーバーもしくは電子メール受信部を設け、インターネット経由で変更ができるようにする。
【００１５】
相手先インターネット電話が通話中もしくは通話不能の場合は、上記ホームページサーバーもしくは電子メール経由で代替アドレスを設定できるようにする。
【００１６】
【発明の実施の形態】
本発明の請求項１に記載の発明は、発呼側電話機からの公衆交換網経由の着信に対して回線に接続する回線接続部と、相手の発呼側電話機からのＤＴＭＦ音を受信するＤＴＭＦ受信部と、相手の押したＤＴＭＦ音を文字によって構成されるインターネット電話アドレスに変換するインターネット電話アドレス変換部と、インターネット電話アドレス変換部からの情報により接続したい他のインターネット電話に発呼するインターネット電話部と、相手先のインターネット電話に接続した場合音声を音声ＩＰパケットに変換する音声変換部とからなるインターネット電話アドレス変換機能付交換機において、発呼者からの呼出が交換機に着信した時、相手先のインターネット電話アドレスをＤＴＭＦ音によって指定し、ＤＴＭＦ音と文字によって構成されるインターネット電話アドレスとを対応させる設定部を有するインターネット電話アドレス変換部を備え、発呼側電話機とインターネット電話を接続することを特徴とするインターネット電話アドレス変換機能付交換機としたものであり、発呼者が電話機の数字ボタンを押すことにより、ポケットベルのメッセージのように、文字で構成される相手先インターネット電話アドレスを指定することができる。
【００１７】
請求項２に記載の発明は、発呼側電話機から短縮して入力されたＤＴＭＦ音をＤＴＭＦ受信部から入力し、短縮されたＤＴＭＦ音を、文字によって構成されるインターネット電話アドレスへ対応づけるための短縮番号設定を備え、インターネット電話部へ出力する短縮番号記憶部を備えたことを特徴とする請求項１記載のインターネット電話アドレス変換機能付交換機としたものであり、相手先指定を行う場合押さなければならない数字キーが非常に多くなるので、短縮番号記憶部を設け、よくかける相手に対しては、この短縮番号を用いて簡単に電話をかけることができるようにする。
【００１８】
請求項３に記載の発明は、回線接続部に、発呼側電話機からの発呼者番号を検知してインターネット電話アドレス変換部へ通知する発呼者番号検知部を設け、インターネット電話アドレス変換部の設定部に、発呼者番号に応じて文字によって構成されるインターネット電話アドレスを対応させる設定を設け、発呼者番号からインターネット電話アドレスを自動的に指定することを特徴とする請求項１記載のインターネット電話アドレス変換機能付交換機としたものであり、相手先指定を行う場合、回線接続部に発呼者番号検知部を設け、発呼者電話番号に応じて相手先インターネット電話アドレスを指定できるようにする。
【００１９】
請求項４に記載の発明は、回線接続部に、ＩＳＤＮ電話機もしくはＰＨＳなどのサブアドレスを送出できる発呼側電話機のサブアドレスを検知するサブアドレス検知部を設け、インターネット電話アドレス変換部の設定部に、発呼側電話機のサブアドレスに応じて、文字によって構成されるインターネット電話アドレスを対応させる設定を設け、発呼側電話機のサブアドレスからインターネット電話アドレス指定を行うことを特徴とする請求項１記載のインターネット電話アドレス変換機能付交換機としたものであり、相手先指定を行う場合、回線接続部にサブアドレス検知部を設け、発呼者のＩＳＤＮ電話またはＰＨＳから送出されるサブアドレスに応じて相手先インターネット電話アドレスを指定できるようにする。
【００２０】
請求項５に記載の発明は、回線接続部に、発呼側電話機からの着信電話番号を検知してインターネット電話アドレス変換部へ通知する着信電話番号検知部を設け、インターネット電話アドレス変換部の設定部に、発呼側電話機からの着信電話番号に応じて文字によって構成されるインターネット電話アドレスを対応させる設定を設け、発呼側電話機からの着信電話番号によって、インターネット電話アドレスでの相手先指定を行うことを特徴とする請求項１記載のインターネット電話アドレス変換機能付交換機としたものであり、相手先指定を行う場合、複数の電話番号を持つ回線を準備するかまたは回線接続部に着信番号検知部を設け、着信電話番号に応じて相手先インターネット電話アドレスを指定できるようにする。
【００２１】
請求項６に記載の発明は、インターネット電話アドレス変換部は、設定用のホームページサーバーを経由して、設定部に設定された内容をホームページ上で設定または変更を行う手段を設けたことを特徴とする請求項１または３から５のいずれかの項に記載のインターネット電話アドレス変換機能付交換機としたものであり、相手先指定を行う場合の設定内容をホームページサーバーを準備して、ホームページ上から設定できるようにし、容易に設定を変更できるようにする。
【００２２】
請求項７に記載の発明は、インターネット電話アドレス変換部に接続された電子メール受信部を設け、インターネット電話アドレス変換部は、電子メール受信部により受信した電子メールの内容に基づいて、設定部に設定された内容を設定または変更を行う手段を設けたことを特徴とする請求項１または３から６のいずれかの項にインターネット電話アドレス変換機能付交換機としたものであり、相手先指定を行う場合の設定内容を利用者は電子メールを用いて送信する。電子メール読み取り部は、送られた電子メールを読み取ってその内容に従い設定できるようにし、容易に設定を変更できるようにする。
【００２３】
請求項８に記載の発明は、短縮記憶部は、設定用のホームページサーバーを経由して、短縮番号設定をホームページ上で設定または変更を行う手段を設けたことを特徴とする請求項２記載のインターネット電話アドレス変換機能付交換機としたものであり、相手先指定を行う場合の設定内容をホームページサーバーを準備して、ホームページ上から設定できるようにし、容易に設定を変更できるようにする。
【００２４】
請求項９に記載の発明は、短縮記憶部に接続された電子メール受信部を設け、短縮記憶部は、電子メール受信部により受信した電子メールの内容に基づいて、短縮番号設定の設定または変更を行う手段を設けたことを特徴とする請求項２または８記載のインターネット電話アドレス変換機能付交換機としたものであり、相手先指定を行う場合の設定内容を利用者は電子メールを用いて送信する。電子メール読み取り部は、送られた電子メールを読み取ってその内容に従い設定できるようにし、容易に設定を変更できるようにする。
【００２５】
請求項１０に記載の発明は、公衆交換網へ発呼する回線発呼接続部と、インターネット電話アドレス変換部からインターネット電話アドレスを入力し、インターネット電話部または回線発呼接続部へ出力する発呼先指定部とを設け、発呼先指定部は、相手先のインターネット電話が通信不能の場合、代替先に発呼する設定を設け、発呼先のインターネット電話が通信不能でも設定により自動的に代替先に接続する手段を設けことを特徴とした請求項１から９のいずれかの項に記載のインターネット電話アドレス変換機能付交換機としたものであり、接続相手先が通話中又は通話不能のとき、代替のインターネット電話アドレスまたは通常の電話番号を設定することにより、発呼者が電話をかけなおすことなく、相手と通話ができるようにする。
【００２６】
（実施の形態１）
図１は、本発明の実施の形態１におけるインターネット電話アドレス変換機能付交換機の構成図である。
【００２７】
以下、図１に従って説明を行う。
【００２８】
図１において、１は発呼側電話機、２は公衆交換網、３はインターネット電話アドレス変換機能付交換機（以下、交換機と称す。）、４は交換機３に含まれる公衆網との回線接続部、５はＤＴＭＦ受信部、６は受信したＤＴＭＦ音をあらかじめ定められた手順に従って文字を含むインターネット電話アドレスに変換する設定部を備えたインターネット電話アドレス変換部、７はインターネット電話機に接続したときに公衆交換網２からの音声をＩＰパケットと相互に変換する音声変換部、８はインターネット電話部、９はインターネット又はＬＡＮ、１０と１１はアドレスをＩＰアドレスではなく文字から構成されるインターネット電話アドレスで指定しなければならないインターネット電話ソフトを実行しているパーソナルコンピュータ、１２はアドレスをＩＰアドレスではなく文字から構成されるインターネット電話アドレスで指定しなければならないＩＰ電話である。
【００２９】
電話機１から公衆交換網２経由で交換機３に電話すると回線接続部４は着信に応じる。次に利用者はＤＴＭＦ音で相手のインターネット電話アドレスを指定する。このＤＴＭＦ音の信号はインターネット電話アドレス変換部６において文字を含むインターネット電話アドレスへ変換される。
【００３０】
図３は、インターネット電話アドレス変換部６における変換において、相手電話番号とインターネット電話アドレスを対応させた例である。相手先がそれぞれ携帯や固定電話の電話番号も持っている場合、これに相手のインターネット電話アドレスを対応させた例である。
【００３１】
図４は、インターネット電話アドレス変換部６における変換においてインターネット電話アドレスで使用される文字に特定の数字を対応させた例である。図４ではポケットベルの場合の文字と対応する数字を示している。この例では「ｓａｔｏｕ」は「４９  １６  ４０  ３０  ５６」となる。
【００３２】
このようにＤＴＭＦ音で相手先のインターネット電話アドレスを指定したら、この情報は、図１のインターネット電話部８へ伝えられ、ここからインターネット又はＬＡＮ９を通って、パーソナルコンピュータ１０，１１もしくはＩＰ電話１２の指定された相手先へ着信する。
【００３３】
着信後、音声変換部７は、電話機１からの音声とパーソナルコンピュータ１０，１１もしくはＩＰ電話１２の音声を相互に変換する。
【００３４】
このようにして相手先インターネット電話アドレスが文字を含むものであっても通常の電話から相手先を指定して着信させることができるようになる。
【００３５】
（実施の形態２）
本実施の形態２は、実施の形態１において相手先指定を行う場合に、発呼側電話機で押さなければならない数字キーが非常に多くなるので、短縮番号記憶部を設け、よくかける相手に対しては、この短縮番号を用いて簡単に電話をかけることができるようにしたものである。
【００３６】
以下、図５に従って説明を行う。なお、実施の形態１の図１とは、発呼側電話機１、公衆交換網２、交換機３、回線接続部４、ＤＴＭＦ受信部５、インターネット電話アドレス変換部６、音声変換部７、インターネット電話部８、インターネット又はＬＡＮ９、パーソナルコンピュータ１０、１１、ＩＰ電話１２は、同じ構成であるので、同符号を付して説明は省略する。
【００３７】
図５において１４は短縮番号記憶部である。短縮番号記憶部１４は、ＤＴＭＦ受信部５から発呼側電話機１から短縮して入力されたＤＴＭＦ音を入力し、文字によって構成されるインターネット電話アドレスへ対応づけ、インターネット電話部８へ送る。
【００３８】
利用者はインターネット電話アドレス変換機能付交換機３に電話をかけ、最初に短縮電話番号の登録指定を行う。これはポケットベルの定型文登録と同様に最初に特定のコードを送出することにより行う。
【００３９】
図６は、短縮番号記憶部１４に記憶させた短縮番号の例である。このように、短縮番号記憶部１４は、短縮番号と相手先インターネット電話アドレスとを記憶し、発呼側電話機１から短縮して入力されたＤＴＭＦ音を入力し、文字によって構成されるインターネット電話アドレスへ対応づける。
【００４０】
利用者は次回から相手先指定のときにこの短縮番号を送出する。ＤＴＭＦ受信部５は短縮番号と認識したら受信した情報を短縮番号記憶部１４に送る。短縮番号記憶部１４は文字で構成されるインターネット電話アドレスに変換し、インターネット電話部８へ送る。後は、実施の形態１と同様に指定されたインターネット電話アドレスの相手と通信が可能となる。
【００４１】
このようにして文字で構成されるインターネット電話アドレスを指定する場合多くのボタンを押さなければならないが、よくかける相手については短縮番号として記憶させておくことにより、少ないボタン操作で電話することが可能となる。
【００４２】
（実施の形態３）
本実施の形態３は、実施の形態１において相手先指定を行う場合、回線接続部に発呼者番号検知部を設け、発呼者電話番号に応じて相手先インターネット電話アドレスを指定できるようにしたものである。
【００４３】
以下、図７に従って説明を行う。なお、実施の形態１の図１とは、発呼側電話機１、公衆交換網２、交換機３、回線接続部４、ＤＴＭＦ受信部５、インターネット電話アドレス変換部６、音声変換部７、インターネット電話部８、インターネット又はＬＡＮ９、パーソナルコンピュータ１０，１１、ＩＰ電話１２は、同じ構成であるので、同符号を付して説明は省略する。
【００４４】
図７において、１５は回線接続部４に接続される発呼者番号検知部、１６は相手先のインターネット電話に接続したときインターネット電話部８から回線接続部４へ伝えられる接続信号である。
【００４５】
回線接続部４に着信があると発呼者番号検知部１５は発呼者の番号をインターネット電話アドレス変換部６へ送る。インターネット電話アドレス変換部６は発呼者番号によって変換アドレスを決める。
【００４６】
図８は、発呼者番号によってインターネット電話アドレスに変換した変換例である。このように変換されたインターネット電話アドレスはインターネット電話部８へ送られ、後は、実施の形態１と同様に指定されたインターネット電話アドレスの相手と通信が可能となる。
【００４７】
相手先が応答したらインターネット電話部８から接続信号１６を回線接続部４へ伝え、回線接続部４を公衆交換網２へ接続して通話を開始する。相手先インターネット電話が通信不能のときは回線接続部４は公衆交換網２へ接続しないので余計な課金は発生しない。
【００４８】
このようにして利用者は単に交換機が接続された電話番号に電話するだけで、なんら複雑な操作をすることなく特定のインターネット電話アドレスを有する相手先へ接続することが可能となる。
【００４９】
（実施の形態４）
本実施の形態４は、実施の形態１において相手先指定を行う場合、回線接続部にサブアドレス検知部を設け、発呼者のＩＳＤＮ電話またはＰＨＳから送出されるサブアドレスに応じて相手先インターネット電話アドレスを指定できるようにしたものである。
【００５０】
以下、図９に従って説明を行う。なお、実施の形態１の図１とは、公衆交換網２、交換機３、回線接続部４、ＤＴＭＦ受信部５、インターネット電話アドレス変換部６、音声変換部７、インターネット電話部８、インターネット又はＬＡＮ９、パーソナルコンピュータ１０，１１、ＩＰ電話１２は、同じなので、同符号を付して説明は省略する。
【００５１】
図９において、１８は回線接続部４に接続されるサブアドレス検知部である。利用者はＰＨＳまたはＩＳＤＮ電話機１７から電話をかける。回線接続部４に着信があるとサブアドレス検知部１８はサブアドレスをインターネット電話アドレス変換部６へ送る。インターネット電話アドレス変換部６はサブアドレスによって変換アドレスを決める。
【００５２】
この変換の方法は、実施の形態１の文字コードへの数字の割り当て、実施の形態２の短縮番号と同様に行うことができる。このように変換されたインターネット電話アドレスはインターネット電話部８へ送られ、後は実施の形態１、２、３と同様に指定されたインターネット電話アドレスの相手と通信が可能となる。
【００５３】
このようにして利用者はＰＨＳもしくはＩＳＤＮ電話機からサブアドレスを付加して電話するだけで、特定のインターネット電話アドレスを有する相手先へ接続することが可能となる。
【００５４】
（実施の形態５）
実施の形態５は、実施の形態１において相手先指定を行う場合、回線接続部に複数の電話番号を持つ回線を接続し、かつ回線接続部に着信番号検知部を設け、着信電話番号に応じて相手先インターネット電話アドレスを指定できるようにしたものである。
【００５５】
以下、図１０に従って説明を行う。なお、実施の形態１の図１とは、発呼側電話機１、公衆交換網２、交換機３、回線接続部４、ＤＴＭＦ受信部５、インターネット電話アドレス変換部６、音声変換部７、インターネット電話部８、インターネット又はＬＡＮ９、パーソナルコンピュータ１０，１１、ＩＰ電話１２は、同じ構成であるので、同符号を付して説明は省略する。
【００５６】
図１０において、１９は回線接続部４に接続される着信電話番号検知部である。利用者は複数の電話番号のうちの１つに電話をかける。回線接続部４に着信があると着信電話番号検知部１９は着信電話番号をインターネット電話アドレス変換部６へ送る。インターネット電話アドレス変換部６は着信電話番号によって変換アドレスを決める。
【００５７】
図１１はこの変換の方法の実施の形態である。図１１のように着信する電話番号によってインターネット電話アドレスは指定される。このように変換されたインターネット電話アドレスはインターネット電話部８へ送られ、後は実施の形態１、２、３と同様に指定されたインターネット電話アドレスの相手と通信が可能となる。
【００５８】
（実施の形態６）
実施の形態６は、実施の形態１において相手先指定を行う場合の設定内容をホームページサーバーを準備して、ホームページサーバーのホームページ上から設定できるようにし、容易に設定を変更できるようにしたものである。
【００５９】
以下、図１２に従って説明を行う。なお、実施の形態３の図７とは、発呼側電話機１、公衆交換網２、交換機３、回線接続部４、ＤＴＭＦ受信部５、インターネット電話アドレス変換部６、音声変換部７、インターネット電話部８、インターネット又はＬＡＮ９、パーソナルコンピュータ１０，１１、ＩＰ電話１２、発呼者番号検知部１５は、同じ構成であるので、同符号を付して説明は省略する。
【００６０】
図１２において２０はブラウザを有するインターネット端末、２１はインターネット又はＬＡＮ、２２はホームページサーバーである。図１２においては発呼者番号検知部１５があり実施の形態３における実施の形態を示している。
【００６１】
利用者はブラウザを有するインターネット端末２０を使用して、インターネットまたはＬＡＮ経由ホームページサーバー２２へ接続する。
【００６２】
図１３は、ブラウザを有するインターネット端末２０のブラウザに表示される設定画面の設定例である。図１３のように実施の形態１から５で必要な設定をホームページ上で簡単に設定できる。たとえば自分の発呼者番号と、相手先を固定した場合のインターネット電話アドレス、短縮番号を使用した場合の相手先インターネット電話アドレスを指定することができる。
【００６３】
この設定を、インターネット電話アドレス変換部６へおこなってから利用者は電話機１から電話をかける。実施の形態３と同様にこの電話は回線接続部４に着信し、発呼者番号検知部１５は発呼者の電話番号をインターネット電話アドレス変換部６へ通知する。インターネット電話アドレス変換部６はホームページサーバー２２からの設定情報に基づき、受信した発呼者番号を特定のインターネット電話アドレスに変換する。このアドレスはインターネット電話部８へ伝わり、後は実施の形態３と同様に特定のＩＰ電話１２へ接続される。
【００６４】
このようにして、ホームページサーバーをインターネット電話アドレス設定用に交換機内に設けることにより、電話機の数字キーで複雑な操作をすることなく容易に相手先への通話が可能となる。
【００６５】
（実施の形態７）
実施の形態７は、実施の形態１、２，３、４、５において相手先指定を行う場合の設定内容を電子メール受信部を準備して、電子メールで設定できるようにし、容易に設定を変更できるようにしたものである。
【００６６】
以下、図１４に従って説明を行う。なお、実施の形態３の図７とは、発呼側電話機１、公衆交換網２、交換機３、回線接続部４、ＤＴＭＦ受信部５、インターネット電話アドレス変換部６、音声変換部７、インターネット電話部８、インターネット又はＬＡＮ９、パーソナルコンピュータ１０，１１、ＩＰ電話１２、発呼者番号検知部１５は、同じ構成であるので、同符号を付して説明は省略する。
【００６７】
図１４において、２０は電子メールを送出できるブラウザを有するインターネット端末、２３は電子メールサーバー、２４は電子メール受信部である。
【００６８】
図１４においては発呼者番号検知部１５があり実施の形態３における実施の形態を示している。
【００６９】
利用者は電子メールを送出できるインターネット端末２０を使用して、電子メールを電子メールサーバー２３宛へ送出する。電子メール受信部２４は定期的に電子メールサーバー２３へアクセスし電子メールを読み取る。電子メールに設定を行う情報があればそれをインターネット電話アドレス変換部６へ送出する。
【００７０】
図１５は、インターネット端末２０の電子メールによる設定例である。図１５のように実施の形態１から５で必要な設定を電子メールで簡単に設定できる。たとえば自分の発呼者番号と、相手先を固定した場合のインターネット電話アドレス、短縮番号を使用した場合の相手先インターネット電話アドレスを指定することができる。この設定をおこなってから利用者は電話機１から電話をかける。実施の形態３と同様にこの電話は回線接続部４に着信し、発呼者番号検知部１５は発呼者の電話番号をインターネット電話アドレス変換部６へ通知する。インターネット電話アドレス変換部６は電子メール受信部２３からの設定情報に基づき、受信した発呼者番号を特定のインターネット電話アドレスに変換する。このアドレスはインターネット電話部８へ伝わり、後は実施の形態３と同様に特定のＩＰ電話１２へ接続される。
【００７１】
このようにして、電子メール受信部をインターネット電話アドレス設定用に交換機内に設けることにより、電話機の数字キーで複雑な操作をすることなく容易に相手先への通話が可能となる。
【００７２】
（実施の形態８）
実施の形態８は、実施の形態６において接続相手先が通話中又は通話不能のとき、代替のインターネット電話アドレスまたは通常の電話番号を設定することにより、発呼者が電話をかけなおすことなく、相手と通話ができるようにしたものである。
【００７３】
以下、図１６に従って説明を行う。なお、実施の形態６の図１２とは、発呼側電話機１、公衆交換網２、交換機３、回線接続部４、ＤＴＭＦ受信部５、インターネット電話アドレス変換部６、音声変換部７、インターネット電話部８、インターネット又はＬＡＮ９、パーソナルコンピュータ１０，１１、ＩＰ電話１２、発呼者番号検知部１５、ブラウザを有するインターネット端末２０、インターネット又はＬＡＮ２１、ホームページサーバー２２は、同じ構成であるので、同符号を付して説明は省略する。
【００７４】
図１６において、２５は発呼先を指定する発呼先指定部、２６は公衆回線に接続する回線発呼接続部、２７は公衆交換網、２８は電話機である。
【００７５】
利用者はまずインターネット端末２０から代替アドレスの設定を発呼先指定部２５へ行う。図１７は代替アドレスの設定例である。この例では相手先アドレスとしてｓａｔｏｕ＠ｈｏｔｍａｉｌ．ｃｏｍが指定されているが、このアドレスの相手先が通信不能の場合の代替アドレスとしてｔａｎａｋａ＠ｈｏｔｍａｉｌ．ｃｏｍを指定しておく。これもダメなときの２番目の代替としてｓｕｚｕｋｉ＠ｈｏｔｍａｉｌ．ｃｏｍを指定し、３番目の代替として通常電話の０３−１２３４−９９９９を指定しておく。
【００７６】
利用者が電話機１から電話し、回線接続部４に着信すると発呼者番号検知部１５は発呼者電話番号をインターネット電話アドレス変換部６へ伝える。インターネット電話アドレス変換部６はその情報をそのまま発呼先指定部２５へ伝える。発呼先指定部２５は図１７に示される発呼先指定部２５の設定に従い相手先アドレスであるインターネット電話ソフトを有するパーソナルコンピュータ１０（ｓａｔｏｕ＠ｈｏｔｍａｉｌ．ｃｏｍ）を指定し、インターネット電話部８からパーソナルコンピュータ１０へ発呼する。
【００７７】
このときパーソナルコンピュータ１０が通信不能の場合は図１７に示される発呼先指定部２５の設定に従い、代替アドレス１であるパーソナルコンピュータ１１（ｔａｎａｋａ＠ｈｏｔｍａｉｌ．ｃｏｍ）を指定し、インターネット電話部８からパーソナルコンピュータ１１へ発呼する。
【００７８】
このときパーソナルコンピュータ１１も通信不能の場合は、図１７に示される発呼先指定部２５の設定に従い、代替アドレス２であるＩＰ電話１２（ｓｕｚｕｋｉ＠ｈｏｔｍａｉｌ．ｃｏｍ）を指定し、インターネット電話部８からＩＰ電話１２へ発呼する。
【００７９】
このときＩＰ電話１２が通信不能の場合は図１７に示される発呼先指定部２５の設定に従い、代替アドレス３である通常の電話機（０３−１２３４−９９９９）を指定し、回線発呼接続部２６から公衆交換網２７を経由して電話機２８へ発呼する。
【００８０】
このようにして、接続する相手先のインターネット電話が通信不能の場合も自動的に他のインターネット電話もしくは通常の電話機を指定できることにより利用者はかけ直しすることなく相手先と通話することができる。
【００８１】
【発明の効果】
本発明は通常の電話機から文字で構成されるインターネット電話アドレスを有するインターネット電話への通話において、ＤＴＭＦ音で文字情報を指定することにより、相手が文字で構成されるインターネット電話アドレスを有するインターネット電話へも通話することができる。
【００８２】
ＤＴＭＦ音で指定すると多くのボタンを押さなければならないので短縮番号機能を付加することにより、少ないボタン操作で相手先を指定することができる。
【００８３】
発呼者電話番号検知部を設けることにより、利用者がインターネット電話と意識することなく通常の電話のように簡単に通話を開始することができる。
【００８４】
サブアドレス検知部を設けることにより、利用者がサブアドレスで相手先を指定することができ、時間の短縮、相手先通話不能時の不要な課金をさけることができる。
【００８５】
着信電話番号検知部を設けることにより、着信電話番号を変えることによって利用者はインターネット電話接続相手先を変更することができる。
【００８６】
ホームページ設定、電子メール設定機能により文字から構成されるインターネット電話アドレスの複雑な設定を簡単に行うことができる。
【００８７】
インターネット電話先の通信不能時の代替設定を行うことにより、発呼者は電話をかけなおすことなく通話ができる。
【図面の簡単な説明】
【図１】本発明の実施の形態１におけるＤＴＭＦ受信部を有するインターネット電話アドレス変換機能付交換機の構成図
【図２】従来のインターネット電話アドレス変換機能付交換機の構成図
【図３】電話番号に相手先インターネット電話アドレスを対応させた例を示す図
【図４】インターネット電話アドレスで使用される文字に特定の数字を対応させた例を示す図
【図５】本発明の実施の形態２における短縮番号記憶部を有するインターネット電話アドレス変換機能付交換機の構成図
【図６】短縮番号にインターネット電話アドレスを対応させた例を示す図
【図７】本発明の実施の形態３における発呼者番号検知部を有するインターネット電話アドレス変換機能付交換機の構成図
【図８】発呼者番号にインターネット電話アドレスを対応させた例を示す図
【図９】本発明の実施の形態４におけるサブアドレス検知部を有するインターネット電話アドレス変換機能付交換機の構成図
【図１０】本発明の実施の形態５における着信電話番号検知部を有するインターネット電話アドレス変換機能付交換機の構成図
【図１１】着信電話番号にインターネット電話アドレスを対応させた例を示す図
【図１２】本発明の実施の形態６におけるホームページサーバー設定機能を有するインターネット電話アドレス変換機能付交換機の構成図
【図１３】ホームページ上での設定例を示す図
【図１４】本発明の実施の形態７における電子メール設定機能を有するインターネット電話アドレス変換機能付交換機の構成図
【図１５】電子メールでの設定例を示す図
【図１６】本発明の実施の形態８における代替アドレス設定機能を有するインターネット電話アドレス変換機能付交換機の構成図
【図１７】代替アドレスの設定例を示す図
【符号の説明】
１  電話機
２  公衆交換網
３  交換機
４  回線接続部
５  ＤＴＭＦ受信部
６  インターネット電話アドレス変換部
７  音声変換部
８  インターネット電話部
９  インターネット又はＬＡＮ
１０  パーソナルコンピュータ
１１  パーソナルコンピュータ
１２  ＩＰ電話
１４  短縮番号記憶部
１５  発呼者番号検知部
１６  接続信号
１７  ＩＳＤＮ電話機
１８  サブアドレス検知部
１９  着信電話番号検知部
２０  ブラウザを有するインターネット端末
２１  インターネット又はＬＡＮ
２２  ホームページサーバー
２３  電子メールサーバー
２４  電子メール受信部
２５  発呼先指定部
２６  回線発呼接続部
２７  公衆交換網
２８  電話機
【図１】
2005006158.tif 000003
【図２】
2005006158.tif 000004
【図３】
2005006158.tif 000005
【図４】
2005006158.tif 000006
【図５】
2005006158.tif 000007
【図６】
2005006158.tif 000008
【図７】
2005006158.tif 000009
【図８】
2005006158.tif 000010
【図９】
2005006158.tif 000011
【図１０】
2005006158.tif 000012
【図１１】
2005006158.tif 000013
【図１２】
2005006158.tif 000014
【図１３】
2005006158.tif 000015
【図１４】
2005006158.tif 000016
【図１５】
2005006158.tif 000017
【図１６】
2005006158.tif 000018
【図１７】
2005006158.tif 000019